(57)【特許請求の範囲】
【請求項１】
光軸を有する固定枠と、
前記固定枠の内側に設けられ、前記固定枠に対して前記光軸周りに回転する回転枠と、
前記回転枠の内側に設けられ、前記固定枠に対して前記光軸周りの回転が規制された状態で該光軸の方向に移動する第１枠と、
前記第１枠の内側に設けられ、前記固定枠に対して前記光軸周りの回転が規制された状態で該光軸の方向に移動する電子部品と、
一端が前記電子部品に連結され、前記回転枠の前記光軸の方向の反被写体側を通って前記固定枠まで延び、他端が該固定枠に連結されたフレキシブルプリント基板と、
前記固定枠の内側であって前記回転枠の外側に設けられ、該固定枠に対して前記光軸周りの回転が規制された状態で該光軸の方向に移動する第２枠と、を備え、
前記回転枠の外周面には、ギア部が設けられ、
前記第１枠には、前記ギア部よりも前記光軸の方向の反被写体側であって前記光軸周りの周方向の前記フレキシブルプリント基板に対応する位置において、該ギア部よりも前記光軸を中心とする半径方向外側に突出する第１突起部が設けられており、
前記第２枠には、前記ギア部よりも前記光軸の方向の被写体側であって前記光軸周りの周方向の前記フレキシブルプリント基板に対応する位置において、該ギア部よりも前記光軸を中心とする半径方向外側に突出する第２突起部が設けられている、レンズ鏡筒。
【請求項２】
前記回転枠の外周面には、カムピンが設けられ、
前記固定枠の内周面には、前記カムピンが係合するカム溝と、該カム溝を横切っており、前記第１枠が該固定枠に対して前記光軸の方向に相対的に移動するときに前記第１突起部が通過する収容溝とが形成されている、
請求項１に記載のレンズ鏡筒。
【請求項３】
前記収容溝の溝幅は、前記カムピンよりも小さい、
請求項２に記載のレンズ鏡筒。
【発明の詳細な説明】
【技術分野】
【０００１】
ここに開示された技術は、内部にフレキシブルプリント基板を備えたレンズ鏡筒に関するものである。
【背景技術】
【０００２】
特許文献１には、焦点距離を変更可能な光学系を保持するレンズ鏡筒が開示されている。特許文献１に開示されたレンズ鏡筒は、レンズ群を保持する枠体を備えている。枠体は、カム機構を介して光軸方向に移動する。
【先行技術文献】
【特許文献】
【０００３】
【特許文献１】特開２００７−２１９３０４号公報
【発明の概要】
【発明が解決しようとする課題】
【０００４】
ところで、レンズ鏡筒は、シャッタなどの電子部品を備えている。電子部品には、フレキシブルプリント基板（ＦＰＣ：Flexible Printed Circuit）が接続され、フレキシブルプリント基板を介して制御信号等が送られる。また、レンズ鏡筒内には、ズーミング動作時などに、移動する枠体が設けられている。フレキシブルプリント基板は、自由に変形できるので移動する枠体の動きに追従できる反面、自由に変形するが故に移動する枠体と干渉する虞がある。特に、レンズ鏡筒が小型になると、この問題が大きくなる。
【０００５】
ここに開示された技術は、レンズ鏡筒内の部材との干渉によるフレキシブルプリント基板の破損の可能性を低減する。
【課題を解決するための手段】
【０００６】
ここに開示されたレンズ鏡筒は、光軸を有する固定枠と、前記固定枠の内側に設けられ、前記固定枠に対して前記光軸周りに回転する回転枠と、前記回転枠の内側に設けられ、前記固定枠に対して前記光軸周りの回転が規制された状態で該光軸の方向に移動する第１枠と、前記第１枠の内側に設けられ、前記固定枠に対して前記光軸周りの回転が規制された状態で該光軸の方向に移動する電子部品と、一端が前記電子部品に連結され、前記回転枠の前記光軸の方向の反被写体側を通って前記固定枠まで延び、他端が該固定枠に連結されたフレキシブルプリント基板とを備え、前記回転枠の外周面には、ギア部が設けられ、前記第１枠には、前記ギア部よりも前記光軸の方向の反被写体側であって前記光軸周りの周方向の前記フレキシブルプリント基板に対応する位置において、該ギア部よりも前記光軸を中心とする半径方向外側に突出する第１突起部が設けられているものとする。
【発明の効果】
【０００７】
前記レンズ鏡筒によれば、ギア部との干渉によるフレキシブルプリント基板の破損の可能性を低減することができる。
【図面の簡単な説明】
【０００８】
【図１】デジタルカメラの斜視図である。
【図２】沈胴状態のレンズ鏡筒の斜視図である。
【図３】撮影状態のレンズ鏡筒の斜視図である。
【図４】レンズ鏡筒の分解斜視図である。
【図５】（Ａ）は、沈胴状態におけるレンズ鏡筒の断面図であり、（Ｂ）は、沈胴状態におけるレンズ鏡筒の（Ａ）とは異なる断面図である。
【図６】（Ａ）は、撮影状態の広角端におけるレンズ鏡筒の断面図であり、（Ｂ）は、撮影状態の広角端におけるレンズ鏡筒の、（Ａ）とは異なる断面図である。
【図７】（Ａ）は、撮影状態の望遠端におけるレンズ鏡筒の断面図であり、（Ｂ）は、撮影状態の望遠端におけるレンズ鏡筒の、（Ａ）とは異なる断面図である。
【図８】固定枠の斜視図である。
【図９】カム枠の斜視図である。
【図１０】１群直進枠の斜視図である。
【図１１】２群直進枠の斜視図である。
【図１２】１群枠の斜視図である。
【図１３】組み立てた状態の１群直進枠、カム枠及び２群直進枠の斜視図である。
【図１４】フレキシブルプリント基板がギア部を横切る状態のレンズ鏡筒の拡大断面図である。
【発明を実施するための形態】
【０００９】
以下、例示的な実施形態を図面に基づいて詳細に説明する。
【００１０】
〈１．概略構成〉
図１に、デジタルカメラ１００の斜視図を示す。
【００１１】
デジタルカメラ１００は、カメラ本体１１０と、レンズ鏡筒１２０とを備える。レンズ鏡筒１２０は、光軸ＡＸを有している。デジタルカメラ１００は、撮像装置の一例である。尚、撮像装置は、フィルムカメラ、レンズ鏡筒が取り外し可能なカメラであってもよい。また、撮像装置は、スティルカメラではなく、動画撮影が可能なカムコーダであってもよい。
【００１２】
ここで、光軸方向の被写体側を前又は正面側といい、光軸方向の撮像素子側(反被写体側)を後又は背面側という。また、デジタルカメラ１００が横撮り姿勢のときの鉛直上側を上側、鉛直下側を下側という。横撮り姿勢とは、撮像素子の長辺が水平方向と一致し、短辺が鉛直方向と一致する状態を意味する。また、横撮り姿勢のデジタルカメラ１００を被写体側から光軸方向に見たときの左側を左側と、右側を右側という。
【００１３】
また、単に回転というときは、光軸ＡＸ周りの回転を意味し、半径方向及び周方向とはそれぞれ、光軸ＡＸを中心とする半径方向及び周方向を意味する。
【００１４】
カメラ本体１１０の上面には、電源スイッチ１１１が設けられている。デジタルカメラ１００は、電源がオフのときは、図１に示すように、レンズ鏡筒１２０が沈胴状態となる。沈胴状態においては、レンズ鏡筒１２０は、後述する複数の枠が繰り込まれ、光軸方向の寸法か小さくなっている。また、デジタルカメラ１００は、電源がオンのときは、レンズ鏡筒１２０が繰り出され、撮影が可能な撮影状態となる。撮影状態においては、レンズ鏡筒１２０は、複数の枠が繰り出され、沈胴状態に比べて光軸方向の寸法が大きくなる。
【００１５】
〈２−１．レンズ鏡筒の概略構成〉
図２に、沈胴状態のレンズ鏡筒１２０の斜視図を、図３に、撮影状態のレンズ鏡筒１２０の斜視図を、図４に、レンズ鏡筒１２０の分解斜視図を示す。また、図５（Ａ）に、沈胴状態におけるレンズ鏡筒１２０の断面図を、図５（Ｂ）に、沈胴状態におけるレンズ鏡筒１２０の、（Ａ）とは異なる断面図を示す。図６（Ａ）に、撮影状態の広角端におけるレンズ鏡筒１２０の断面図を、図６（Ｂ）に、撮影状態の広角端におけるレンズ鏡筒１２０の、（Ａ）とは異なる断面図を示す。図７（Ａ）に、撮影状態の望遠端におけるレンズ鏡筒１２０の断面図を、図６（Ｂ）に、撮影状態の望遠端におけるレンズ鏡筒１２０の、（Ａ）とは異なる断面図を示す。
【００１６】
レンズ鏡筒１２０は、光学系Ｏと、レンズ駆動機構１３０とを有している。レンズ鏡筒１２０には、ＣＣＤイメージセンサ（以下、単に「ＣＣＤ」という）１４０が固定されている。
【００１７】
光学系Ｏは、被写体の光学像をＣＣＤ１４０の受光面(撮像面)に形成する。光学系Ｏは、図５〜７に示すように、第１レンズ群Ｇ１と、第２レンズ群Ｇ２と、第３レンズ群Ｇ３とを有する。第１レンズ群Ｇ１、第２レンズ群Ｇ２及び第３レンズ群Ｇ３は、被写体側からこの順で光軸方向に並んでいる。図４に示すように、第１レンズ群Ｇ１は、第１レンズＬ１と第２レンズＬ２とを有する。第２レンズ群Ｇ２は、第３レンズＬ３と第４レンズＬ４と第５レンズＬ５と第６レンズＬ６とを有する。第３レンズ群Ｇ３は、第７レンズＬ７を有する。
【００１８】
レンズ鏡筒１２０は、第１〜第３レンズ群Ｇ１〜Ｇ３を光軸方向に移動可能に支持している。レンズ駆動機構１３０は、第１〜第３レンズ群Ｇ１〜Ｇ３を光軸方向に移動させる。レンズ鏡筒１２０は、第１レンズ群Ｇ１と第２レンズ群Ｇ２との間隔、及び、第２レンズ群Ｇ２と第３レンズ群Ｇ３との間隔が変わることによって、光学系Ｏの焦点距離が変わる。焦点距離を変化させることを、ズーミングともいう。また、第３レンズ群Ｇ３は、フォーカスレンズであり、光軸方向に移動することによって光学系Ｏの焦点状態を変化させる。焦点状態を変化させることをフォーカシングともいう。尚、光学系Ｏのレンズ構成(枚数や形状)は、他の構成であってもよい。
【００１９】
ＣＣＤ１４０は、被写体からの光を受光し、該光を電気信号に変換して出力する。ＣＣＤ１４０は、撮像素子の一例である。撮像素子は、ＣＭＯＳイメージセンサであってもよい。
【００２０】
〈２−２．レンズ駆動機構〉
続いて、レンズ駆動機構１３０について説明する。レンズ駆動機構１３０は、１群枠１と、１群直進枠２と、カム枠３と、２群直進枠４と、ブレ補正枠５と、シャッタユニット６と、固定枠７と、３群枠８と、マスタフランジ９とを有する。
【００２１】
１群枠１は、第１レンズ群Ｇ１を保持する。ブレ補正枠５は、第２レンズ群Ｇ２を保持する。３群枠８は、第３レンズ群Ｇ３を保持する。
【００２２】
〈２−２−１．固定枠〉
図８に、固定枠７の斜視図を示す。固定枠７は、円筒状の本体部７０と、固定枠７をカメラ本体１１０に取り付けるための取付部７１と、駆動ギア７２とを有している。取付部７１は、本体部７０の後端部において外側に突出するように設けられている。固定枠７は、取付部７１を介してカメラ本体１１０に取り付けられる。例えば、取付部７１は、カメラ本体１１０にネジ止めされる。
【００２３】
駆動ギア７２は、図２〜４に示すように、光軸ＡＸと平行な軸周りに回転可能な状態で本体部７０に取り付けられている。駆動ギア７２は、本体部７０の内側と外側の両方に露出している。本体部７０の外周面には、ズームモータユニット１５０が取り付けられている。ズームモータユニット１５０は、駆動ギア７２と噛合しており、駆動ギア７２を回転駆動する。
【００２４】
本体部７０の後端には、マスタフランジ９が取り付けられる。本体部７０の後端には、ネジ孔を有するボスが形成されている。マスタフランジ９は、ビスをボスのネジ孔に螺合させることによって本体部７０に固定される。
【００２５】
本体部７０の内周面には、３本の第１カム溝７４と、６本の第１直進溝７５と、１本の収容溝７６とが形成されている。第１カム溝７４は、所定の形状に延びている。第１直進溝７５は、光軸ＡＸと平行に延びている。収容溝７６は、第１切欠部７６ａと第２切欠部７６ｂとで構成され、光軸ＡＸと平行に延びている。収容溝７６は、第１カム溝７４を横切るように形成されている。第１切欠部７６ａは、第１カム溝７４を区画する一方の側壁に形成され、第２切欠部７６ｂは、第１カム溝７４を区画する他方の側壁に形成されている。
【００２６】
〈２−２−２．カム枠〉
図９に、カム枠３の斜視図を示す。カム枠３は、円筒状の本体部３０と、本体部３０の後端において半径方向外側に突出して形成されたフランジ３１とを有している。
【００２７】
フランジ３１の外周縁には、３つの第１カムピン３２と、ギア部３３とが設けられている。ギア部３３は、フランジ３１の全周のうちの一部に設けられている。また、フランジ３１には、第１バヨネット係合部３４が設けられている。
【００２８】
本体部３０の外周面には、６つの第２カムピン３５と、３本の第３カム溝３６が形成されている。第２カムピン３５は、２個を１組として、本体部３０の周方向の３箇所に設けられている。各組の２つの第２カムピン３５は、光軸ＡＸと平行に並んでいる。第３カム溝３６は、両側の溝壁が存在する第１区間３６Ａと、片側の溝壁が存在しない第２区間３６Ｂとを有している。第１区間３６Ａは、本体部３０の後端部から光軸ＡＸに対して傾斜しながら本体部３０の前端に向かって延びている。第２区間３６Ｂは、本体部３０の前端部に形成され、光軸方向前側の側壁が設けられていない。つまり、第２区間３６Ｂは、本体部３０の前端部において前方に開放されている。尚、第１区間３６Ａも、光軸方向前側の側壁が設けられていなくてもよい。
【００２９】
本体部３０の内周面には、６本の第４カム溝３７と、第２バヨネット係合部３８とが形成されている。
【００３０】
〈２−２−３．１群直進枠〉
図１０に、１群直進枠２の斜視図を示す。１群直進枠２は、円筒状の本体部２０を有している。本体部２０の後端には、半径方向外側に突出する６つの係合部２１と、半径方向外側に突出する１つの第２突起部２２とが設けられている。本体部２０の外径は、カム枠３のギア部３３の外径よりも小さい。すなわち、光軸ＡＸから本体部２０の外周面までの距離は、光軸ＡＸからギア部３３の先端までの距離よりも短い。また、光軸ＡＸから第２突起部２２の先端までの距離は、光軸ＡＸからギア部３３の先端までの距離よりも長い。
【００３１】
本体部２０の内周面には、光軸方向に延びる６本の第２直進溝２３と、本体部２０の後端部において円周方向に延びる第３バヨネット係合部２４とが形成されている。
【００３２】
〈２−２−４．２群直進枠〉
図１１に、２群直進枠４の斜視図を示す。２群直進枠４は、円筒状の本体部４０と、本体部４０から半径方向外側に突出し、円周方向に延びるフランジ４１と、本体部４０から光軸方向前側に延びる２つの腕部４２とを有している。本体部４０の外径は、カム枠３のギア部３３の外径よりも小さい。すなわち、光軸ＡＸから本体部４０の外周面までの距離は、光軸ＡＸからギア部３３の先端までの距離よりも短い。本体部４０の外周面には、第４バヨネット係合部４３（図５〜図７参照）が設けられている。
【００３３】
フランジ４１には、半径方向外側に突出する３つの係合部４４と、半径方向外側に突出する１つの第１突起部４５とが設けられている。光軸ＡＸから第１突起部４５の先端までの距離は、光軸ＡＸからギア部３３の先端までの距離よりも長い。
【００３４】
〈２−２−５．１群枠〉
図１２に、１群枠１の斜視図を示す。１群枠１は、円筒状の本体部１０を有している。本体部１０は第１レンズ群Ｇ１を保持している。本体部１０の外周面には、６つの係合部１１が設けられている。本体部１０の内周面には、３つの第３カムピン１２と、６本の第２カム溝１３とが形成されている。
【００３５】
本体部１０の前部には、図４に示すように、バリアカムリング１６０が取り付けられている。バリアカムリング１６０は、円環状の本体部１６１と、バリア羽根１６２と、第１バネ１６３と、第２バネ１６４とを有している。レンズ鏡筒１２０が沈胴状態のときには、バリア羽根１６２は閉じられる。こうして、バリア羽根１６２は、第１レンズ群Ｇ１を保護し、それに加えて、光学系Ｏへの光の進入を遮断する。レンズ鏡筒１２０が撮影状態のときには、バリア羽根１６２は、開かれ、光学系Ｏへの光の進入が可能となる。
【００３６】
本体部１０には、その前部にバリアカムリング１６０を取り付けた状態で、前方から化粧枠１６５が取り付けられている。
【００３７】
〈２−２−６．ブレ補正枠〉
ブレ補正枠５は、第２レンズ群Ｇ２を保持している。ブレ補正枠５は、図５〜７に示すように、シャッタユニット６に支持されている。ブレ補正枠５は、シャッタユニット６に対する光軸方向への移動が規制されている。ブレ補正枠５は、シャッタユニット６に対して光軸ＡＸと直交する平面内で移動可能に支持されている。ブレ補正枠５は、駆動機構により、シャッタユニット６に対して光軸ＡＸと直交する平面内で移動させられる。ブレ補正枠５、即ち、第２レンズ群Ｇ２が光軸ＡＸと直交する平面内で移動することによって、ＣＣＤ１４０の受光面上での光学像の位置が変化する。例えば、ブレ補正枠５は、デジタルカメラ１００のブレに起因する光学像のブレを抑制するように移動させられる。
【００３８】
〈２−２−７．シャッタユニット〉
シャッタユニット６は、図示省略のシャッタを有している。シャッタユニット６は、シャッタを開放することによって光を通過させる。シャッタユニット６は、シャッタを閉じることによって光を遮断する。つまり、シャッタユニット６は、光学系Ｏの光の通過及び遮断を制御する。シャッタユニット６は、シャッタのシャッタ羽根を駆動するアクチュエータ等を備えている。シャッタユニット６には、図５〜７に示すように、フレキシブルプリント基板（以下、「ＦＰＣ」という）１７０が電気的に接続されている。シャッタユニット６のアクチュエータには、本体回路からの制御信号がＦＰＣ１７０を介して伝達される。シャッタユニット６の外周面には、図４に示すように、６つの第４カムピン６１と、２つの第３直進溝６２とが形成されている。
【００３９】
〈２−２−８．３群枠〉
３群枠８は、第３レンズ群Ｇ３を保持している。３群枠８は、図４に示すように、本体部８０と、軸受８１と、回転規制部８２と、係合部８３とを有している。軸受８１及び回転規制部８２は、マスタフランジ９に設けられた第１ガイドポール８４及び第２ガイドポール８５にそれぞれ係合している。第１ガイドポール８４及び第２ガイドポール８５は、光軸方向に延びている。軸受８１に第１ガイドポール８４が挿通されることによって、３群枠８は、第１ガイドポール８４に沿って光軸方向に移動可能となっている。また、軸受８１と第１ガイドポール８４との係合により、光軸ＡＸに直交する平面内での３群枠８の移動が規制されている。回転規制部８２が第２ガイドポール８５に係合することによって、第１ガイドポール８４周りの３群枠８の回転が規制される。
【００４０】
係合部８３は、フォーカスモータユニット８６に係合している。詳しくは、フォーカスモータユニット８６は、マスタフランジ９に取り付けられている。フォーカスモータユニット８６は、モータと、光軸方向に延び、モータによって回転させられるリードスクリュと、リードスクリュに噛合するナット８６ａとを有している。係合部８３は、ナット８６ａに係合している。つまり、３群枠８は、モータの作動により光軸方向に移動するナット８６ａと共に光軸方向に移動する。
【００４１】
〈２−２−９．マスタフランジ〉
マスタフランジ９は、板状の部材である。マスタフランジ９の中央には、図４に示すように、方形の開口部９１が設けられている。マスタフランジ９の背面には、取付板１４１を介して、ＣＣＤ１４０が取り付けられている。ＣＣＤ１４０は、受光面が前方を向いている。
【００４２】
〈２−３．各部材の係合関係〉
図５〜７に示すように、１群直進枠２は、固定枠７の内方に収容され、固定枠７に支持されている。１群直進枠２の係合部２１は、固定枠７の第１直進溝７５に係合している。つまり、１群直進枠２は、固定枠７に対して回転が規制された状態で、光軸方向に移動可能となっている。
【００４３】
１群枠１は、１群直進枠２の内方に収容され、１群直進枠２に支持されている。１群枠１の係合部１１は、１群直進枠２の第２直進溝２３に係合している。つまり、１群枠１は、１群直進枠２に対して回転が規制された状態で、光軸方向に移動可能となっている。１群直進枠２は固定枠７に対して回転が規制されているので、１群枠１も、固定枠７に対して回転が規制されている。
【００４４】
１群枠１の内方には、カム枠３が収容されている。カム枠３のフランジ３１は、１群枠１の後端及び１群直進枠２の後端よりも後方に位置している。カム枠３の第１カムピン３２は、固定枠７の第１カム溝７４に係合している。こうして、カム枠３は、固定枠７に支持されている。また、カム枠３のギア部３３は、固定枠７に設けられた駆動ギア７２と噛合している。つまり、カム枠３は、駆動ギア７２を介してズームモータユニット１５０により回転駆動される。このとき、第１カムピン３２が第１カム溝７４に案内される。それに伴って、カム枠３は、回転しながら光軸方向に移動する。
【００４５】
また、カム枠３は、１群直進枠２及び１群枠１と係合している。詳しくは、カム枠３の第１バヨネット係合部３４は、１群直進枠２の第３バヨネット係合部２４に係合している。これにより、１群直進枠２とカム枠３とは、相対的な回転が許容される一方、光軸方向への相対的な移動が規制されている。つまり、カム枠３が回転しながら光軸方向に移動する際には、１群直進枠２は、カム枠３と一体的に光軸方向に移動する。ただし、１群直進枠２は、係合部２１と第１直進溝７５との係合により固定枠７に対して回転が規制されている。また、カム枠３の第２カムピン３５は、１群枠１の第２カム溝１３に係合している。ここで、１群枠１は、係合部１１と第２直進溝２３との係合により、１群直進枠２に対する回転が規制されている。そのため、カム枠３が回転すると、第２カムピン３５が第２カム溝１３内を相対的に移動するように、１群枠１は、光軸方向に移動する。
【００４６】
尚、１群枠１の第３カムピン１２は、カム枠３の第３カム溝３６に係合している。第３カム溝３６は、１群枠１がカム枠３に対して相対移動するときの第３カムピン１２の移動軌跡に沿った形状をしている。ただし、第３カム溝３６の溝壁のうち光軸方向後側に位置する溝壁は、第３カムピン１２との間に僅かな間隔を有している。
【００４７】
また、カム枠３の内方には、２群直進枠４が収容されている。２群直進枠４のフランジ４１は、カム枠３の後端よりも後方に位置している。２群直進枠４は、カム枠３及び固定枠７に支持されている。詳しくは、２群直進枠４の係合部４４は、固定枠７の第１直進溝７５に係合している。つまり、２群直進枠４は、固定枠７に対して回転が規制された状態で、光軸方向に移動可能となっている。また、２群直進枠４の第４バヨネット係合部４３は、カム枠３の第２バヨネット係合部３８に係合している。これにより、２群直進枠４とカム枠３とは、相対的な回転が許容される一方、光軸方向への相対的な移動が規制されている。つまり、カム枠３が回転しながら光軸方向に移動する際には、２群直進枠４は、カム枠３と一体的に光軸方向に移動する。ただし、２群直進枠４は、係合部４４と第１直進溝７５との係合により固定枠７に対して回転が規制されている。
【００４８】
シャッタユニット６は、カム枠３及び２群直進枠４の内方に収容され、カム枠３及び２群直進枠４に支持されている。シャッタユニット６の第３直進溝６２に２群直進枠４の腕部４２が係合している。つまり、シャッタユニット６は、２群直進枠４に対して回転が規制された状態で、光軸方向に移動可能となっている。２群直進枠４は、固定枠７に対して回転が規制されているので、シャッタユニット６も、固定枠７に対して回転が規制されている。また、シャッタユニット６の第４カムピン６１は、カム枠３の第４カム溝３７に係合している。シャッタユニット６は、２群直進枠４に対する回転が規制されているので、カム枠３が回転すると、第４カムピン６１が第４カム溝３７内を相対的に移動するように、シャッタユニット６は、光軸方向に移動する。ここで、ブレ補正枠５は、シャッタユニット６に支持されているので、シャッタユニット６と共に光軸方向に移動する。
【００４９】
３群枠８は、前述の如く、マスタフランジ９に設けられた第１ガイドポール８４及び第２ガイドポール８５に支持され、フォーカスモータユニット８６によって光軸方向に駆動される。
【００５０】
このように構成されたレンズ鏡筒１２０においては、ズームモータユニット１５０が作動すると、カム枠３は、回転駆動されて、回転しながら光軸方向に移動する。それに伴い、１群枠１、ブレ補正枠５及びシャッタユニット６も光軸方向に移動する。１群枠１、ブレ補正枠５及びシャッタユニット６の光軸方向への移動量は、各カム溝の形状により規定されている。一方、３群枠８は、フォーカスモータユニット８６により駆動され、光軸方向に移動する。
【００５１】
〈３．ＦＰＣの保護〉
図１３に、組み立てた状態の１群直進枠２、カム枠３及び２群直進枠４の斜視図を、図１４に、ＦＰＣ１７０がギア部３３を横切る状態のレンズ鏡筒の拡大断面図を示す。
【００５２】
前述の如く、シャッタユニット６には、本体回路からの制御信号を伝達するためのＦＰＣ１７０が連結されている。シャッタユニット６に連結されたＦＰＣ１７０は、シャッタユニット６とカム枠３及び２群直進枠４との間を通って後方に引き出され、２群直進枠４の後方を半径方向外側に回り込んで、固定枠７の前部において、固定枠７の外周面に引き出されている。ＦＰＣ１７０の他端部は、固定枠７の外周面において本体回路に電気的に接続されている。ＦＰＣ１７０の本体回路への接続は、はんだによる接合又はコネクタ接続によってなされる。ここで、カム枠３のギア部３３は、固定枠７のズームモータユニット１５０と噛合しているものの、それ以外の部分においては、固定枠７との間に隙間を有している。ＦＰＣ１７０は、ギア部３３のうちズームモータユニット１５０と噛合していない部分において、ギア部３３と固定枠７との間を通って、ギア部３３を光軸方向に横切っている。
【００５３】
ＦＰＣ１７０は、可撓性を有するので、沈胴状態と撮影状態との間でのシャッタユニット６等の移動や、ズーミング動作におけるシャッタユニット６等の移動に伴って、様々に変形する。そのとき、ＦＰＣ１７０がギア部３３に干渉すると、ＦＰＣ１７０がギア部３３に引っ掛かり、ＦＰＣ１７０が破損する虞がある。
【００５４】
それに対して、２群直進枠４には、ギア部３３よりも光軸方向の反被写体側（即ち、後側）であって周方向のＦＰＣ１７０に対応する位置において、該ギア部３３よりも半径方向外側に突出する第１突起部４５が設けられている。それに加えて、１群直進枠２には、ギア部３３よりも光軸方向の被写体側（即ち、前側）であって周方向のＦＰＣ１７０に対応する位置において、該ギア部３３よりも半径方向外側に突出する第２突起部２２が設けられている。そのため、ＦＰＣ１７０がギア部３３を横切る場合に、ＦＰＣ１７０がギア部３３に接近したとしても、ＦＰＣ１７０とギア部３３との接触の可能性が第１突起部４５及び第２突起部２２により低減される。
【００５５】
詳しくは、１群直進枠２、２群直進枠４及びシャッタユニット６はそれぞれ、固定枠７に対して回転が規制されている。そのため、１群直進枠２、２群直進枠４及びシャッタユニット６が光軸方向に移動したとしても、第２突起部２２、第１突起部４５及びＦＰＣ１７０は、固定枠７に対して回転が規制されており、周方向位置が変わらない。つまり、周方向においてＦＰＣ１７０と対応する位置には、ギア部３３の前側に第２突起部２２が配置され、ギア部３３の後側に第１突起部４５が配置されている。この位置関係は、１群直進枠２、２群直進枠４及びシャッタユニット６が光軸方向に移動したとしても維持される。
【００５６】
カム枠３、２群直進枠４及びシャッタユニット６は、レンズ鏡筒１２０の状態に応じて光軸方向に移動する。そのため、ＦＰＣ１７０は、様々に変形し、カム枠３のギア部３３を後側から前側へ横切ることもある。ここで、前述の如く、周方向のＦＰＣ１７０と対応する位置において、ギア部３３の前後には第２突起部２２及び第１突起部４５が配置されている。そのため、ＦＰＣ１７０がギア部３３に接近したとしても、ＦＰＣ１７０の半径方向内側への移動が第１突起部４５及び第２突起部２２により規制されるため、ＦＰＣ１７０とギア部３３との接触が防止される。
【００５７】
また、１群直進枠１及び２群直進枠４は、カム枠３と一体となって光軸方向に移動するため、第１突起部４５及び第２突起部２２とギア部３３との光軸方向の位置関係が維持される。すなわち、第１突起部４５とギア部３３とが光軸方向に離れたり、第２突起部２２とギア部３３とが光軸方向に離れたりしてしまうと、第１突起部４５及び第２突起部２２がＦＰＣ１７０の半径方向内側への移動を規制したとしても、第１突起部４５及び第２突起部２２から離れた場所でＦＰＣ１７０がギア部３３に接触する虞がある。それに対して、第１突起部４５及び第２突起部２２とギア部３３との光軸方向の位置関係が維持されるので、第１突起部４５及び第２突起部２２がＦＰＣ１７０とギア部３３との接触を防止している状態も維持される。つまり、レンズ鏡筒１２０の沈胴状態から撮影状態の望遠端に至るまでの全ての状態において、ＦＰＣ１７０は第１突起部４５及び第２突起部２２により保護されている。
【００５８】
ここで、第１突起部４５を設けることによって、２群直進枠４の半径方向の寸法が大きくなってしまう。また、第２突起部２２を設けることによって、１群直進枠２の半径方向の寸法が大きくなってしまう。しかしながら、固定枠７の内周面には、収容溝７６が形成されている。第１突起部４５及び第２突起部２２は、収容溝７６内に入り込んでいる。そのため、固定枠７の寸法を、第１突起部４５及び第２突起部２２が２群直進枠４及び１群直進枠２に設けられていない場合と同じにすることができる。つまり、レンズ鏡筒１２０の大型化を防止しつつ、ＦＰＣ１７０の破損を防止することができる。
【００５９】
尚、収容溝７６は、第１カム溝７４を横切るように形成されている。詳しくは、第１カム溝７４のうち、第１突起部４５及び第２突起部２２が第１カム溝７４を横切るときに第１カムピン３２が位置しない部分において、収容溝７６は、第１カム溝７４を横切っている。これにより、固定枠７の限られた内周面の中のスペースを有効に利用して収容溝７６を形成することができる。また、収容溝７６の溝幅は、第１カムピン３２の寸法よりも小さくなっている。つまり、収容溝７６が第１カム溝７４を横切ることによって、第１カム溝７４の側壁には、第１切欠部７６ａ及び第２切欠部７６ｂが形成される。収容溝７６の溝幅が大きいと、第１カムピン３２が第１切欠部７６ａ又は第２切欠部７６ｂに引っ掛かって、第１カムピン３２を第１カム溝７４でスムーズに案内できなくなってしまう。収容溝７６の溝幅を小さくすることによって、第１カムピン３２が第１切欠部７６ａ又は第２切欠部７６ｂに引っ掛かることを抑制し、第１カムピン３２を第１カム溝７４でスムーズに案内することができる。
【００６０】
〈４．効果〉
したがって、前記レンズ鏡筒１２０は、光軸ＡＸを有する固定枠７と、前記固定枠７の内側に設けられ、前記固定枠７に対して前記光軸ＡＸ周りに回転するカム枠３と、前記カム枠３の内側に設けられ、前記固定枠７に対して前記光軸ＡＸ周りの回転が規制された状態で光軸方向に移動する２群直進枠４と、前記２群直進枠４の内側に設けられ、前記固定枠７に対して前記光軸ＡＸ周りの回転が規制された状態で光軸方向に移動するシャッタユニット６と、一端が前記シャッタユニット６に連結され、前記カム枠３の光軸方向の反被写体側を通って前記固定枠７まで延び、他端が該固定枠７に連結されたＦＰＣ１７０とを備え、前記カム枠３の外周面には、ギア部３３が設けられ、前記２群直進枠４には、前記ギア部３３よりも光軸方向の反被写体側であって前記光軸ＡＸ周りの周方向の前記ＦＰＣ１７０に対応する位置において、該ギア部３３よりも前記光軸ＡＸを中心とする半径方向外側に突出する第１突起部４５が設けられている。
【００６１】
前記の構成によれば、ＦＰＣ１７０は、カム枠３の反被写体側を通って、シャッタユニット６から固定枠７まで延びている。そのため、カム枠３、シャッタユニット６及び固定枠７の光軸方向の位置関係によっては、ＦＰＣ１７０がカム枠３のギア部３３を前後に横切る場合がある。ここで、２群直進枠４、シャッタユニット６及びＦＰＣ１７０は、固定枠７に対して光軸ＡＸ周りの回転が規制されている。そして、２群直進枠４のうち、ギア部３３よりも光軸方向の反被写体側であって光軸ＡＸ周りの周方向のＦＰＣ１７０に対応する位置には、ギア部３３よりも半径方向外側に突出する第１突起部４５が設けられている。そのため、ＦＰＣ１７０がギア部３３を横切る部分において、ＦＰＣ１７０がギア部３３に接近しようとしても、第１突起部４５によりＦＰＣ１７０の移動が規制される。これにより、ＦＰＣ１７０がギア部３３に接触する可能性が低減される。その結果、ＦＰＣ１７０の破損を防止することができる。
【００６２】
また、レンズ鏡筒１２０は、前記固定枠７の内側であって前記カム枠３の外側に設けられ、該固定枠７に対して前記光軸ＡＸ周りの回転が規制された状態で光軸方向に移動する１群直進枠２をさらに備え、前記１群直進枠２には、前記ギア３３よりも光軸方向の被写体側であって前記光軸ＡＸ周りの周方向の前記ＦＰＣ１７０に対応する位置において、該ギア部３３よりも前記光軸ＡＸを中心とする半径方向外側に突出する第２突起部２２が設けられている。
【００６３】
前記の構成によれば、１群直進枠２も、固定枠７に対して光軸ＡＸ周りの回転が規制されている。そして、１群直進枠２のうち、ギア部３３よりも光軸方向の反被写体側であって光軸ＡＸ周りの周方向のＦＰＣ１７０に対応する位置には、ギア部３３よりも半径方向外側に突出する第２突起部２２が設けられている。周方向のＦＰＣ１７０に対応する位置において、ギア部３３の前後には第２突起部２２と第１突起部４５とが配置されている。そのため、ＦＰＣ１７０がギア部３３を横切る部分において、ＦＰＣ１７０がギア部３３に接近しようとしても、第１突起部４５及び第２突起部２２によりＦＰＣ１７０の移動が規制される。これにより、ＦＰＣ１７０がギア部３３に接触する可能性が低減される。その結果、ＦＰＣ１７０の破損を防止することができる。
【００６４】
前記カム枠３の外周面には、第１カムピン３２が設けられ、前記固定枠７の内周面には、前記第１カムピン３２が係合する第１カム溝７４と、該第１カム溝７４を横切っており、前記２群直進枠４が該固定枠７に対して光軸方向に相対的に移動するときに前記第１突起部４５が通過する収容溝７６とが形成されている。
【００６５】
前記の構成によれば、２群直進枠４に半径方向外側に突出する第１突起部４５が設けられる構成であっても、レンズ鏡筒１２０の大型化を防止することができる。詳しくは、２群直進枠４が固定枠７に対して光軸方向に相対的に移動するときに、第１突起部４５は、収容溝７６に収容される。そのため、固定枠７の径を大きくしなくても、第１突起部４５と固定枠７の干渉を回避することができる。その結果、固定枠７の大型化を防止することができる。
【００６６】
また、２群直進枠４が該固定枠７に対して光軸方向に相対的に移動するときに前記第２突起部２２も収容溝７６を通過する。
【００６７】
つまり、２群直進枠４が固定枠７に対して光軸方向に相対的に移動するときに、第２突起部２２は、収容溝７６に収容される。そのため、固定枠７の径を大きくしなくても、第２突起部２２と固定枠７の干渉を回避することができる。その結果、固定枠７の大型化を防止することができる。
【００６８】
また、２群直進枠４は、カム枠３と光軸方向へ一体的に移動するように構成されている。
【００６９】
この構成によれば、カム枠３及び２群直進枠４が光軸方向に移動しても、第１突起部４５とギア部３３との光軸方向の距離が維持される。第１突起部４５とギア部３３とが光軸方向に離れてしまうと、第１突起部４５から離れた場所ではＦＰＣ１７０の半径方向内側への移動を規制できず、ＦＰＣ１７０とギア部３３とが接触してしまうかもしれない。第１突起部４５とギア部３３との光軸方向の距離を維持することによって、第１突起部４５によりＦＰＣ１７０とギア部３３との接触を防止している状態を維持することができる。
【００７０】
さらに、第１直進枠２は、カム枠３と光軸方向へ一体的に移動するように構成されている。
【００７１】
この構成によれば、１群直進枠２及びカム枠３が光軸方向に移動しても、第２突起部２２とギア部３３との光軸方向の距離が維持される。第２突起部２２とギア部３３とが光軸方向に離れてしまうと、第２突起部２２から離れた場所ではＦＰＣ１７０の半径方向内側への移動を規制できず、ＦＰＣ１７０とギア部３３とが接触してしまうかもしれない。第２２突起部２２とギア部３３との光軸方向の距離を維持することによって、第２突起部２２によりＦＰＣ１７０とギア部３３との接触を防止している状態を維持することができる。
【００７２】
《その他の実施形態》
以上のように、本出願において開示する技術の例示として、前記実施形態を説明した。しかしながら、本開示における技術は、これに限定されず、適宜、変更、置き換え、付加、省略などを行った実施の形態にも適用可能である。また、上記実施形態で説明した各構成要素を組み合わせて、新たな実施の形態とすることも可能である。また、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７３】
前記実施形態について、以下のような構成としてもよい。
【００７４】
前記レンズ鏡筒１２０の構成は、一例に過ぎず、異なる構成であってもよい。例えば、前記実施形態では、カム枠３に設けられたギア部３３とＦＰＣ１７０との接触を防止しているが、ＦＰＣ１７０との接触が防止されるギア部３３は、カム枠３以外の回転枠に設けられたギア部であってもよい。
【００７５】
また、第１突起部４５は、２群直進枠４に設けられているが、それ以外の枠体に設けられていてもよい。さらに、第２突起部２２は、１群直進枠２に設けられているが、それ以外の枠体に設けられていてもよい。また、第１突起部４５と第２突起部２２の何れかを省略してもよい。
【００７６】
また、第１突起部４５が設けられている２群直進枠４は、カム枠３と一体的に光軸方向へ移動する。また、第２突起部２２が設けられている１群直進枠２も、カム枠３と一体的に光軸方向へ移動する。つまり、第１突起部４５及び第２突起部２２は、ギア部３３と光軸方向の位置関係が変わらない。しかしながら、２群直進枠４又は１群直進枠２は、カム枠３と独立して光軸方向へ移動する構成であってもよい。その場合には、ＦＰＣ１７０がギア部３３に接触する可能性が高いとき、例えば、レンズ鏡筒１２０が広角端と沈胴状態との間で遷移しているときに、第１突起部４５又は第２突起部２２がギア部３３の直後又は直前に位置するようにすればよい。
【００７７】
さらに、ＦＰＣ１７０が接続される電子部品は、シャッタユニット６に限られるものではない。例えば、ＦＰＣ１７０が接続される電子部品は、ブレ補正枠５の駆動機構であってもよい。
【００７８】
また、固定枠７の収容溝７６は、第１カム溝７４を横切っていなくてもよい。固定枠７の内周面にスペースがある場合等には、第１カム溝７４を横切らない位置に収容溝７６を形成してもよい。さらには、レンズ鏡筒１２０の小型化の要求がない場合には、収容溝７６を省略して、固定枠７の径方向の寸法を大きくしてもよい。
【産業上の利用可能性】
【００７９】
以上説明したように、ここに開示された技術は、内部にフレキシブルプリント基板を備えたレンズ鏡筒について有用である。
【符号の説明】
【００８０】
１００  デジタルカメラ
１２０  レンズ鏡筒
１７０  フレキシブルプリント基板
２      １群直進枠（第２枠）
２２    第２突起部
３      カム枠（回転枠）
３２    第１カムピン（カムピン）
３３    ギア部
４      ２群直進枠（第１枠）
４５    第１突起部
６      シャッタユニット（電子部品）
７      固定枠
７４    第１カム溝（カム溝）
７６    収容溝
ＡＸ    光軸
【図５】
0006020816.tif 000002
【図６】
0006020816.tif 000003
【図７】
0006020816.tif 000004
【図８】
0006020816.tif 000005
【図１４】
0006020816.tif 000006
【図１】
0006020816.tif 000007
【図２】
0006020816.tif 000008
【図３】
0006020816.tif 000009
【図４】
0006020816.tif 000010
【図９】
0006020816.tif 000011
【図１０】
0006020816.tif 000012
【図１１】
0006020816.tif 000013
【図１２】
0006020816.tif 000014
【図１３】
0006020816.tif 000015